(57)【要約】      （修正有）【課題】ヘアキャッチャーを逆さまに向けて清掃する際の清掃性を向上させるヘアキャッチャーを提供する。【解決手段】排水路に対して着脱可能に設けられるヘアキャッチャー１０に、下端１２ｂから排水路に挿入される軸１２と、軸１２に対して摺動自在に取り付けられる内目皿軸挿通部２２と、毛髪Ｈ１を捕集しながら排水を下方へ通過させる内側排水通過部２６であって上面が軸１２側から外側に向けて下がった内側排水通過部２６とを有する内目皿２０と、軸１２に対して内目皿軸挿通部２２よりも下側に取り付けられた外目皿軸挿通部３２と、外目皿軸挿通部３２の上側に内目皿２０が軸１２に対して摺動可能に収容され且つ内側排水通過部２６を通過した排水を通過させる収容部３４と、収容部３４の外側で毛髪Ｈ１を捕集しながら排水を下方へ通過させる外側排水通過部３６とを有する外目皿３０とを設ける。【選択図】図３
2012255287.tif 000002
【特許請求の範囲】
【請求項１】
排水路に対して着脱可能に設けられるヘアキャッチャーであって、
下端から前記排水路に挿入される軸と、
該軸に対して摺動自在に取り付けられる内目皿軸挿通部と、毛髪を捕集しながら排水を下方へ通過させる内側排水通過部であって上面が前記軸側から外側に向けて下がった内側排水通過部とを有する内目皿と、
前記軸に対して前記内目皿軸挿通部よりも下側に取り付けられた外目皿軸挿通部と、前記外目皿軸挿通部の上側に前記内目皿が前記軸に対して摺動可能に収容され且つ前記内側排水通過部を通過した排水を通過させる収容部と、該収容部の外側で毛髪を捕集しながら排水を下方へ通過させる外側排水通過部とを有する外目皿とを備えることを特徴とするヘアキャッチャー。
【請求項２】
前記軸は、本ヘアキャッチャーを逆さまにしたときに上端側へ摺動する前記内目皿を前記外目皿よりも低い位置で止めるストッパー部が設けられていることを特徴とする請求項１に記載のヘアキャッチャー。
【請求項３】
前記内目皿軸挿通部及び前記外目皿軸挿通部は、前記軸に対して着脱可能に取り付けられることを特徴とする請求項１又は請求項２に記載のヘアキャッチャー。
【発明の詳細な説明】
【技術分野】
【０００１】
本発明は、排水路に対して着脱可能に設けられるヘアキャッチャーに関する。
【背景技術】
【０００２】
特許文献１に記載されるように、軸部材と捕集部材と捕集リブとからなるヘアキャッチャーが知られている。捕集部材は、軸部材の下方に取り付けられている。捕集リブは、中心部に貫通穴を有し該中心部から放射状に広がる複数のリブを備え、捕集部材の上方で軸部材にスライド自在に取り付けられている。捕集リブは水平に広がっているため、排水ユニットにヘアキャッチャーが装着されたとき、捕集リブと捕集部材の上底面部とには僅かな隙間しかできない。
【０００３】
なお、特許文献２に記載される排水口のヘアキャッチャーは、軸に対して移動しないように固定されている。この固定されたヘアキャッチャーは、全体を傘状に傾斜させた放射状の捕集リブを有する内側部材と、この内側部材の外周部に固定される筒状の外側部材とで構成されている。
【０００４】
また、特許文献３に記載されるように、ゴム栓が装着される排水口に設置されるヘアキャッチャーが知られている。このヘアキャッチャーは、排水口に引っ掛け可能な円環体を有するとともに内部に複数のリングを有する円状体と、円状体の中央部に挿通される軸部と、水平に広がる桟を有し軸部の上部に固定される捕集体とを備えている。
【先行技術文献】
【特許文献】
【０００５】
【特許文献１】特開２００４−１１６２２８号公報
【特許文献２】特開平１０−８８６３８号公報
【特許文献３】特開２００８−２６７０４１号公報
【発明の概要】
【発明が解決しようとする課題】
【０００６】
排水口（排水路）に設けられるヘアキャッチャーには、捕集した毛髪等の捕集物が目皿等に堆積する。従って、ヘアキャッチャーを清掃する際、目皿等に堆積した毛髪等を落下させて除去するためにヘアキャッチャーを逆さまにすることがある。
特許文献１に記載のヘアキャッチャーは、捕集リブと捕集部材の上底面部とに僅かな隙間しかないため、捕集リブから垂れた毛髪が捕集部材の底面部に絡まり易い。この場合、軸部材の下方を持ってヘアキャッチャーをごみ箱等に向けて振っても、捕集リブが捕集部材から離れず、捕集物の除去に手間取ることになる。
特許文献２に記載のヘアキャッチャーは、軸に対して移動しないように固定されているため、捕集物の除去に手間取ることになる。
特許文献３に記載のヘアキャッチャーは、捕集体が軸部に固定されているため、軸部を持ってヘアキャッチャーを逆さまにしても、捕集体が円状体から離れず、捕集物の除去に手間取ることになる。
【０００７】
以上を鑑み、本発明は、ヘアキャッチャーを逆さまに向けて清掃する際の清掃性を向上させる目的を有している。
【課題を解決するための手段】
【０００８】
上記目的を達成するため、本発明は、排水路に対して着脱可能に設けられるヘアキャッチャーであって、
下端から前記排水路に挿入される軸と、
該軸に対して摺動自在に取り付けられる内目皿軸挿通部と、毛髪を捕集しながら排水を下方へ通過させる内側排水通過部であって上面が前記軸側から外側に向けて下がった内側排水通過部とを有する内目皿と、
前記軸に対して前記内目皿軸挿通部よりも下側に取り付けられた外目皿軸挿通部と、前記外目皿軸挿通部の上側に前記内目皿が前記軸に対して摺動可能に収容され且つ前記内側排水通過部を通過した排水を通過させる収容部と、該収容部の外側で毛髪を捕集しながら排水を下方へ通過させる外側排水通過部とを有する外目皿とを備える態様を有する。
【０００９】
すなわち、排水口から流入した排水は、内側排水通過部及び収容部を通過するか、外側排水通過部を通過する。これにより、内側排水通過部が捕集物で先に閉塞しても、外側排水通過部で通水が確保される。また、内側排水通過部は上面が軸側から外側に向けて下がっているので、内側排水通過部の上面と外目皿の底部との距離が長く、内側排水通過部から垂れた毛髪が外目皿の底部に絡まり難い。これにより、捕集した毛髪で、内目皿と外目皿の相対移動が妨げられることを防止できる。このヘアキャッチャーを排水路から外して逆さまにすると、内目皿が捕集物とともに軸の上端側へ摺動する。内目皿と外目皿とが離れると、逆さまにしただけでは落下除去できずに内目皿に残った捕集物を摘み取ったり、ブラシで除去したりすることが容易になる。従って、ヘアキャッチャーを逆さまに向けて清掃する際の清掃性を向上させることができる。
【００１０】
各請求項に係る発明において、上記ヘアキャッチャーには、洗面ボウルの排水路に設けられる排水栓ユニットの他、浴槽、シンク、等の排水路に設けられるヘアキャッチャーも含まれる。また、ヘアキャッチャーは、排水口にゴム栓が装着される排水路に設けられる等、単独で使用されてもよいし、軸の上端に排水栓が設けられる等、別部材と組み合わされて使用されても良い。
上記排水は、毛髪を含む水とする。なお、明細書では、排水口に流入する水も排水として説明している。
上記内側排水通過部及び上記外側排水通過部には、孔、スリット、が含まれる。
上記内目皿及び上記外目皿には、毛髪以外の異物も捕集するものも含まれる。また、内目皿及び外目皿は、全ての毛髪を止めるものでなくても良い。
上記内目皿軸挿通部が軸に対して摺動自在であることは、軸を逆さまにすると内目皿軸挿通部が軸に沿って移動することを意味し、軸の長手方向全体にわたって移動することのみならず、軸の長手方向の所定範囲に限って移動することが含まれる。
上面が軸側から外側に向けて下がった内側排水通過部の形状には、軸の中心線を含む平面で切断した断面が直線的に下がった形状、軸の中心線を含む平面で切断した断面が曲線的に下がった形状、等が含まれる。なお、内目皿全体の上面は、内側排水通過部の部分が軸側から外側に向けて下がっていればよく、全体が軸側から外側に向けて下がっていてもよいし、軸側から外側に向けて下がっていない部分があってもよい。
上記外目皿軸挿通部は、軸に対して移動しないように固定されても良いし、軸に対して摺動自在に取り付けられても良い。
【００１１】
また、前記軸は、本ヘアキャッチャーを逆さまにしたときに上端側へ摺動する前記内目皿を前記外目皿よりも低い位置で止めるストッパー部が設けられてもよい。この場合、ヘアキャッチャーを逆さまにすると、上端側へ摺動する内目皿が捕集物とともに外目皿よりも低い位置で止まる。従って、ヘアキャッチャーから捕集物を除去し易くすることができる。
【００１２】
さらに、前記内目皿軸挿通部及び前記外目皿軸挿通部は、前記軸に対して着脱可能に取り付けられてもよい。この場合、内目皿及び外目皿を軸から外して清掃することができるので、ヘアキャッチャーの清掃性がさらに向上する。
【００１３】
なお、上記ヘアキャッチャーが設けられた洗面ボウル、浴槽、シンク、等のヘアキャッチャー付き水槽の発明も、上述した作用、効果を奏する。
【発明の効果】
【００１４】
請求項１に係る発明によれば、清掃性を向上させるヘアキャッチャーを提供することができる。
請求項２に係る発明では、捕集物を除去し易くすることが可能となる。
請求項３に係る発明では、清掃性をさらに向上させることが可能となる。
【図面の簡単な説明】
【００１５】
【図１】本発明の一実施形態に係るヘアキャッチャー１０を設けた洗面化粧台１の要部を例示する正面図であり、洗面化粧台１の扉の図示を省略して示す図である。
【図２】閉栓状態の排水栓ユニット２及びその周辺を一部断面視して例示する図である。
【図３】排水路７０から取り出した排水栓ユニット２を一部断面視して例示する側面図である。
【図４】軸１２から排水栓４を取り外した状態の排水栓ユニット２を例示する分解斜視図である。
【図５】（ａ）は内目皿２０の外観を例示する斜視図、（ｂ）は外目皿３０の外観を例示する斜視図である。
【図６】（ａ）は外目皿３０を例示する平面図、（ｂ）は内目皿２０を例示する平面図、（ｃ）は軸１２の中心線を含む鉛直面で切断して外目皿３０を例示する垂直断面図、（ｄ）は軸１２の中心線を含む鉛直面で切断して内目皿２０を例示する垂直断面図、（ｅ）は排水栓４を外したヘアキャッチャー１０の例を上から見て示す平面図である。
【図７】（ａ）は排水路７０から取り出した排水栓ユニット２を例示する垂直断面図、（ｂ）は排水栓４を外してヘアキャッチャー１０を逆さまにした様子を例示する垂直断面図である。
【図８】（ａ）は変形例に係る排水栓ユニット２を排水路７０から取り出した状態で示す垂直断面図、（ｂ）は排水栓４を外してヘアキャッチャー１０を逆さまにした様子を例示する垂直断面図である。
【図９】（ａ）〜（ｄ）は内目皿２０と外目皿３０の組合せの変形例を示す垂直断面図である。
【図１０】（ａ），（ｂ）は比較例に係るヘアキャッチャーの要部を示す垂直断面図である。
【発明を実施するための形態】
【００１６】
（１）洗面化粧台の構成：
図１に示す洗面化粧台１は、洗面ボウル８０に水栓９０や排水管ユニット６０が取り付けられている。
洗面ボウル８０は、人造大理石や陶器等で形成され、下方へ凹んだ凹状とされている。洗面ボウル８０の凹部８１には、開口部８２（図２参照）が底部に形成され、オーバーフロー口８３が内側面の上部に形成されている。このオーバーフロー口８３と排水管ユニット６０とは、オーバーフロー管８４で接続されている。
【００１７】
図２に示すように、排水管ユニット６０は、排水管６２に所定の昇降機構６６が組み込まれ、この昇降機構６６にワイヤ６８が接続されている。
排水管６２の上端は洗面ボウルの開口部８２の下端に接続され、排水口となる開口部８２上端から下流へ排水路７０を形成している。この排水路７０に対して、排水栓ユニット２が着脱可能に設けられる。排水管６２の上端は、排水栓ユニット２の外目皿３０を掛止する目皿掛止部６４とされている。目皿掛止部６４は、内径が開口部８２の内径よりも小さくされ、外目皿３０の引掛部３８を載置する。
【００１８】
昇降機構６６は、上方へ突出した持ち上げ部材６７を有している。この持ち上げ部材６７は、排水栓ユニット２の外目皿ストッパー１６の持ち上げ部材挿入穴１６ｃに挿入され、図２に示すように最も退避した所定の退避位置と、最も突出して排水栓ユニット２の軸１２を持ち上げる所定の進出位置との間で移動可能とされている。
ワイヤ６８は、洗面ボウル８０に取り付けられる操作部６９を有している。洗面化粧台の使用者が操作部６９を操作して持ち上げ部材６７を退避位置まで退避させると、排水栓４により排水口（開口部８２）を閉塞する閉栓位置Ｌ１まで軸１２が下降する。一方、使用者が操作部６９を操作して持ち上げ部材６７を進出位置まで進出させると、排水栓４を上げて排水を排水口（開口部８２）に流入させる開栓位置Ｌ２まで軸１２が上昇する。図２では、開栓位置Ｌ２における排水栓４の上面位置を二点鎖線で示している。
【００１９】
（２）排水栓ユニットの構成：
図２〜４に示すように、本実施形態の排水栓ユニット２は、ヘアキャッチャー１０に排水栓４が着脱可能に取り付けられて構成され、軸１２の長手方向Ｄ１を上下に向けて排水路７０に設けられる。ヘアキャッチャー１０は、軸１２、内目皿２０、外目皿３０、を有している。
【００２０】
本実施形態の排水栓４には、軸１２の上端１２ａを挿入するための軸挿入穴４ａが下面４ｃ側に形成されているとともに、環状のパッキン５を嵌めるための溝４ｂが軸１２を中心として周回する位置に形成されている。軸挿入穴４ａに軸の上端１２ａを挿入すると、排水栓４と軸１２とが互いに固定される。一方、互いに固定された排水栓４及び軸１２を引き離すように引っ張ると、軸挿入穴４ａから軸の上端１２ａが抜ける。従って、排水栓４は、軸の上端１２ａに対して着脱可能に取り付けられていることになる。排水栓４は、軸挿入穴４ａ及び溝４ｂを形成する部分がアクリロニトリルブタジエンスチレン樹脂（ＡＢＳ樹脂）といった合成樹脂等で形成され、上面部分が金属等で形成される。
溝４ｂに嵌められたパッキン５は、閉栓時に排水口（開口部８２）との間をシールする。
【００２１】
軸１２は、上端１２ａに排水栓４が固定される弁軸であり、下端１２ｂから排水路７０に挿入される。軸１２は、金属等で形成され、円柱等の棒状、又は、円筒等の筒状とされる。本実施形態の軸１２は、下端１２ｂに外目皿ストッパー１６が固定され、この外目皿ストッパー１６の上側に外目皿３０が摺動可能に取り付けられ、この外目皿３０よりも上側まで摺動可能とされた内目皿２０が取り付けられている。軸１２には、Ｏリング１３，１４，１５を取り付けるための溝１２ｃ，１２ｄ，１２ｅが上から順に形成されている。最も上端１２ａ側の溝１２ｃには、排水栓４を着脱可能に固定するためのＯリング１３が設けられる。溝１２ｄには、ヘアキャッチャー１０を逆さまにしたときに上端１２ａ側へ摺動する内目皿２０を止めるためのＯリング１４が設けられる。最も下端１２ｂ側の溝１２ｅには、ヘアキャッチャー１０を逆さまにしたときに上端１２ａ側へ摺動する外目皿３０を止めるためのＯリング１５が設けられる。Ｏリング１５は、排水栓ユニット２を排水路７０に装着したときに目皿掛止部６４に引っ掛かる外目皿３０の外目皿軸挿通部３２が下側となる位置に設けられている。Ｏリング１４は、ヘアキャッチャー１０を上下逆にしたときに外目皿３０の収容部３４から内目皿２０が出て外目皿３０よりも低い位置で止まる位置に設けられている。従って、Ｏリング１４は、本発明にいうストッパー部を構成する。
【００２２】
外目皿ストッパー１６は、図３に示すように軸の下端１２ｂを圧入した軸挿入穴１６ｂを上端１６ａ側に有し、軸の下端１２ｂを覆って軸１２から外目皿３０が脱落しないようにしている。また、外目皿ストッパー１６は、図２に示すように持ち上げ部材６７を挿入するための持ち上げ部材挿入穴１６ｃを下端側に有している。外目皿ストッパー１６の下端は、下目皿１７が持ち上げ部材挿入穴１６ｃの周りに形成されている。外目皿ストッパーの上端１６ａは、排水栓ユニット２を排水路７０に装着したときに目皿掛止部６４に引っ掛かる外目皿３０の外目皿軸挿通部３２が上側となる位置に設けられている。
【００２３】
下目皿１７は、環状部１７ａ、複数の支持部１７ｂ及び複数の凸部１７ｄを有し、オーバーフロー口８３からオーバーフロー管８４を介して排水管６２に流入した排水に含まれる毛髪等を捕集しながら、該排水並びに内目皿２０及び外目皿３０を通過した排水を下方へ通過させる。環状部１７ａは、排水管６２の内径よりも若干小さい外径とされている。複数の支持部１７ｂは、隣り合う支持部１７ｂ同士のなす角度が全て等しくなるように軸１２を中心とした放射状に設けられ、排水を通過させる複数の孔１７ｃを形成するように外目皿ストッパー１６の本体部１６Ａと環状部１７ａとを繋いでいる。複数の凸部１７ｄは、隣り合う凸部１７ｄ同士の間隔が全て等しくなるように環状部１７ａの外側面に対して設けられている。
【００２４】
内目皿２０は、図５（ａ）の斜視図や図６（ｂ）の平面図や図６（ｄ）の垂直断面図等に示すように、内目皿軸挿通部２２及び内側排水通過部２６を有し、傘状に形成されている。
内目皿軸挿通部２２は、軸１２を貫通させた軸挿通穴２２ａを有する円筒形状とされ、内目皿２０の中央部分に形成されている。軸挿通穴２２ａの内径は、軸１２の外径よりも若干大きく、Ｏリング１４，１５の外径よりも若干小さくされている。これにより、内目皿軸挿通部２２は、軸１２を中心として回転動作可能であるとともに、Ｏリング１４，１５の間で軸１２に対して摺動自在に取り付けられている。また、Ｏリング１４は、排水栓４を外した軸１２から内目皿２０を軸の上端１２ａ方向へ引っ張ると外すことができる外径とされている。従って、内目皿軸挿通部２２は、軸１２に対して着脱可能に取り付けられていることになる。
【００２５】
内側排水通過部２６は、内目皿軸挿通部２２の周りに形成され、排水中の毛髪の通過を抑止しながら排水を通過させる円形の孔２７を複数有する。従って、内側排水通過部２６は、洗面ボウル８０から排水路７０に流入した排水に含まれる毛髪等の異物を捕集しながら排水を下方へ通過させる。本実施形態の内側排水通過部２６は内周側の孔２７ａの並びと外周側の孔２７ｂの並びとを有し、孔２７ａ，２７ｂはそれぞれ軸１２を囲む位置に間隔を空けて複数設けられている。ここで、孔が軸を囲むとは、複数の孔が離散的に配置されることを意味する。また、内側排水通過部２６は、軸１２側が内目皿軸挿通部２２の上端に合わせられ、上面２６ａが軸１２側から外側に向けて下がった傾斜面とされている。内側排水通過部上面２６ａの傾斜角θ１は、１５〜６０°（より好ましくは３０〜４５°）程度とすることができる。内側排水通過部上面２６ａが水平から傾いていることにより、通水面積が広くなり、内側排水通過部２６が閉塞され難くなり、ヘアキャッチャー１０の清掃頻度が少なくなる。また、捕集物が内側排水通過部上面２６ａの外側に集まるので、捕集物を捨て易くなり、ヘアキャッチャー１０の清掃性が向上する。
【００２６】
ところで、図１０（ａ）に垂直断面を示す比較例のヘアキャッチャーのように、上側目皿９２０の上面が略水平であると、上側目皿９２０の上面と下側目皿９３０の底部９３５との距離が短くなる。また、上側目皿９２０の肉厚が一定であると、上側目皿９２０と下側目皿９３０との間にほとんど空間ができない。この場合、上側目皿９２０から垂れた毛髪Ｈ１が下側目皿の底部９３５に絡まり易く、軸の下端側を持ってヘアキャッチャーを逆さまにしても、上側目皿９２０が下側目皿９３０から離れず、毛髪Ｈ１等の捕集物の除去に手間取ることになる。
【００２７】
本ヘアキャッチャー１０は、内側排水通過部上面２６ａが内側に向けて上がっているという特徴を有する。また、内側排水通過部上面２６ａがほぼ一定の肉厚で構成されているという特徴をも有する。これらの特徴により、図６（ｄ）に示すように、内側排水通過部２６と外目皿３０の底部（外目皿軸挿通部３２及び支持部３５）との間に空間ＳＰ１が形成され、内側排水通過部上面２６ａと外目皿３０の底部（３２，３５）との距離（最大距離ｄ１）が長くされる。これにより、内側排水通過部２６から垂れた毛髪が外目皿軸挿通部３２や支持部３５に絡まり難く、軸１２の下端１２ｂ側を持ってヘアキャッチャー１０を逆さまにすると、捕集物を除去し易い軸の上端１２ａ側へ捕集物とともに内目皿２０が容易に摺動する。すなわち、本ヘアキャッチャー１０は、捕集物を捨て易いという特徴を有する。
また、上記特徴により、内目皿２０の軸１２に対するガイドとなる内目皿軸挿通部２２を軸１２の長手方向Ｄ１に長くすることができるので、ヘアキャッチャー１０を逆さまにしたときの内目皿２０の摺動に引っ掛かりが生じ難くなり、ヘアキャッチャー１０の清掃性が向上する。
【００２８】
内目皿２０の外縁２０ａには、距離ｄ１未満の範囲内で内側排水通過部上面２６ａから上方へ短く延出した毛髪引掛部２８が設けられている。この毛髪引掛部２８は、ヘアキャッチャー１０を逆さまに向けて内目皿２０を軸の上端１２ａ側へ摺動させるときに外目皿３０の収容部３４の側面部３４ｃに付着した捕集物を引っ掛ける機能を有する。
【００２９】
外目皿３０は、図５（ｂ）の斜視図や図６（ａ）の平面図や図６（ｃ）の垂直断面図等に示すように、外目皿軸挿通部３２、収容部３４及び外側排水通過部３６を有している。
外目皿軸挿通部３２は、軸１２を貫通させた軸挿通穴３２ａを有する円筒形状とされ、外目皿３０の中央部分に形成され、軸１２に対して前記内目皿軸挿通部２２よりも下側に取り付けられている。軸挿通穴３２ａの内径は、軸１２の外径よりも若干大きく、Ｏリング１５の外径よりも若干小さくされている。これにより、外目皿軸挿通部３２は、軸１２を中心として回転動作可能であるとともに、Ｏリング１５と外目皿ストッパーの上端１６ａとの間で軸１２に対して摺動自在に取り付けられている。また、Ｏリング１４，１５は、排水栓４を外した軸１２から外目皿３０を軸の上端１２ａ方向へ引っ張ると外すことができる外径とされている。従って、外目皿軸挿通部３２は、軸１２に対して着脱可能に取り付けられていることになる。
【００３０】
収容部３４は、側面部３４ｃが軸１２を中心とする円筒形状に形成され、底部に複数の支持部３５が設けられている。本実施形態の側面部３４ｃは、上縁部３４ａの内径と下縁部３４ｂの内径とが同じにされ、すなわち、ヘアキャッチャー装着時の垂直断面が軸１２の長手方向Ｄ１に沿った方向とされ、排水を通過させる孔が設けられていない。側面部３４ｃに孔を設けないことで、内目皿２０の摺動不良を防止している。すなわち、側面部３４ｃに孔を設けると、その孔に毛髪が引っ掛ることがあり、その毛髪がストッパーになってしまい内目皿２０の摺動を阻害することになることがある。支持部３５は、隣り合う支持部３５同士のなす角度が全て等しくなるように軸１２を中心とした放射状に設けられ、排水を通過させる比較的大きな孔３５ａを形成するように外目皿軸挿通部３２と収容部３４外縁の下縁部３４ｂとを繋いでいる。本実施形態の支持部３５の上面は、外目皿軸挿通部３２の上端よりも若干低く形成されている。一方、内目皿外縁２０ａの下端は、内目皿軸挿通部２２の下端よりも低く形成され、排水栓ユニット装着時に支持部３５に接触する。
側面部３４ｃの内径は、内目皿２０の外径よりも若干大きくされている。これにより、収容部３４は、外目皿軸挿通部３２の上側において内目皿２０が軸１２に対して摺動可能に収容され、且つ、内側排水通過部２６を通過した排水を下方へ通過させる。
なお、外目皿３０をインジェクション成形等で成形するためには、収容部３４に抜き勾配が必要になり、上縁部３４ａの内径が下縁部３４ｂの内径よりも若干大きくなるが、その抜き勾配を有する形状であっても円筒形状に含むものとする。
【００３１】
外側排水通過部３６は、収容部３４の周りにおいて外形が下に凸の円錐台形状に形成され、排水中の毛髪の通過を抑止しながら排水を通過させる円形の孔３７を複数有している。従って、外側排水通過部３６は、洗面ボウル８０から排水路７０に流入した排水に含まれる毛髪等の異物を捕集しながら排水を下方へ通過させる。本実施形態の外側排水通過部３６は内周側の孔３７ａの並びと外周側の孔３７ｂの並びとを有し、孔３７ａ，３７ｂはそれぞれ軸１２を囲む位置に間隔を空けて複数設けられている。また、外側排水通過部３６は、内側が収容部３４の上縁部３４ａに合わせられ、上面３６ａが収容部３４の上部（上縁部３４ａ）から外側に向かって上がった傾斜面とされている。外側排水通過部上面３６ａの傾斜角θ２は、３０〜７５°（より好ましくは４５〜６０°）程度とすることができる。上面３６ａを軸１２側に向けて下げることにより、外側排水通過部３６を通過する排水に含まれる毛髪が内目皿２０の方へ集まる。また、通水面積が広くなることによっても、外側排水通過部３６が閉塞され難くなる。
【００３２】
外目皿３０の外縁には、外側排水通過部３６から径方向外側へ短く出た引掛部３８が設けられている。この引掛部３８は、排水栓ユニット２が排水路７０に装着されたときに目皿掛止部６４に引っ掛かる。外目皿３０及び内目皿２０が軸１２に対して摺動可能であることにより、排水路７０に装着された排水栓ユニット２が閉栓位置Ｌ１と開栓位置Ｌ２との間で上下しても外目皿３０及び内目皿２０の位置が変化せず、毛髪等の異物を良好に捕集することができる。
【００３３】
図３等に示すように、排水栓ユニット装着時において、収容部３４に収容された内目皿２０の上面の外縁（毛髪引掛部２８）は、外側排水通過部の上面３６ａ、特に上面３６ａの内側縁部（収容部の上縁部３４ａ）よりも低くされる。
【００３４】
ところで、図１０（ｂ）に垂直断面を示す比較例のヘアキャッチャーのように、収容部が無く下側目皿９３０の側面部９３６が底部９３５から外側へ広がるように上方へ延出していると、上側目皿９２０に堆積した毛髪Ｈ１等の捕集物が側面部９３６にも付着し、側面部９３６が閉塞してしまう。従って、ヘアキャッチャーを頻繁に清掃する必要がある。
【００３５】
本ヘアキャッチャー１０は、上面３６ａが外側に向かって広がる外側排水通過部３６が収容部３４の上側にあり、収容部３４に収容された内目皿２０の上面の外縁（毛髪引掛部２８）が外側排水通過部３６の上面よりも低いという構造を有する。この構造により、外側排水通過部３６を通過する排水に含まれる毛髪等が内側へ集まって外側排水通過部上面３６ａにとどまらずに内目皿２０上へ落下し、収容部３４内で捕集物が内目皿２０上に堆積する。すなわち、内目皿２０に堆積した捕集物が収容部３４よりも上側の外側排水通過部３６に付着し難く、外側排水通過部３６が閉塞され難い。これにより、良好な排水能力が維持される時間が長くなるので、本ヘアキャッチャー１０は清掃頻度を少なくすることができるという特徴を有している。
また、軸１２の下端１２ｂ側を持ってヘアキャッチャー１０を逆さまにすると、捕集物を除去し易い軸１２の上端１２ａ側へ内目皿２０とともに捕集物が容易に移動する。すなわち、本ヘアキャッチャー１０は、清掃頻度を少なくすることができるという特徴と捕集物を捨て易いという特徴とを兼ね備えている。
【００３６】
なお、外目皿ストッパー１６、内目皿２０、及び、外目皿３０は、ＡＢＳ樹脂といった合成樹脂等で形成することができる。
【００３７】
上述した排水栓ユニット２は、例えば、以下のようにして組み立てることができる。
まず、軸の下端１２ｂを外目皿ストッパー１６に圧入し、軸の各溝１２ｃ，１２ｄ，１２ｅに各Ｏリング１３，１４，１５を取り付ける。その後、軸１２に対して、外目皿３０、内目皿２０、排水栓４の順に取り付ける。外目皿３０を取り付ける際には、外目皿軸挿通部の軸挿通穴３２ａに軸の上端１２ａを通し、Ｏリング１５と外目皿ストッパー上端１６ａとの間となるまで外目皿軸挿通部３２を下端１２ｂ側へ移動させる。内目皿２０を取り付ける際には、内目皿軸挿通部の軸挿通穴２２ａに軸の上端１２ａを通し、Ｏリング１４，１５の間となるまで内目皿軸挿通部２２を下端１２ｂ側へ移動させる。この状態でヘアキャッチャー１０が組み立てられたこととなり、軸の上端１２ａに排水栓４を取り付けると、排水栓ユニット２の組み立てが完了する。
むろん、排水栓ユニット２の組み立ては、様々な手順により行うことができる。例えば、先にＯリング１３〜１５を軸１２に取り付け、内目皿２０を軸１２に取り付け、外目皿３０を軸１２に取り付け、軸の下端１２ｂに外目皿ストッパー１６を取り付け、軸の上端１２ａに排水栓４を取り付けてもよい。
【００３８】
なお、図７（ａ）に示すように、排水栓ユニット２は、排水路７０に装着されていないとき、排水栓４を上にした状態で外目皿軸挿通部３２が外目皿ストッパー上端１６ａに接触して止まり、内目皿軸挿通部２２がＯリング１５に接触して止まった状態となる。
【００３９】
（３）ヘアキャッチャーの動作、作用、効果：
次に、本ヘアキャッチャー１０の動作、作用、効果を説明する。
排水栓ユニット２を外目皿ストッパー１６の方から排水路７０に挿入すると、持ち上げ部材挿入穴１６ｃに昇降機構の持ち上げ部材６７が挿入されるまで排水栓ユニット２が下降し、軸１２の長手方向Ｄ１を上下に向けて排水栓ユニット２が排水路７０に装着される。このとき、外目皿３０は引掛部３８が目皿掛止部６４に引っ掛かって排水路７０の上方（排水口入り口近傍）にとどまり、内目皿２０は外目皿の収容部３４に収容される。
【００４０】
ここで、図２に示すように持ち上げ部材６７が退避位置まで退避していると、排水栓４及び外目皿ストッパー１６を固定した軸１２が閉栓位置Ｌ１となる。この状態から洗面化粧台１の使用者が操作部６９を操作して持ち上げ部材６７を進出位置まで進出させると、排水栓４及び外目皿ストッパー１６を固定した軸１２が開栓位置Ｌ２まで上昇する。むろん、この状態から使用者が操作部６９を操作して持ち上げ部材６７を退避位置まで退避させると、軸１２が閉栓位置Ｌ１まで下降する。
【００４１】
軸１２が開栓位置Ｌ２にあるとき、図２に示すように、洗面ボウル凹部８１の排水Ｗ１は、排水口である開口部８２から排水管６２（排水路７０）内へ流入する。排水路７０に流入した排水Ｗ１は、図６（ｅ）の平面図に示す内側領域Ｒ２にある内側排水通過部２６及び収容部３４を通過するか、外側領域Ｒ１にある外側排水通過部３６を通過する。内目皿２０及び外目皿３０を通過した排水は、下目皿１７を通過して排水管６２（排水路７０）内を流下していく。
【００４２】
ここで、外側排水通過部上面３６ａが収容部３４の上縁部３４ａから外側に向かって上がっているので、外側排水通過部３６を通過する排水Ｗ１に含まれる毛髪Ｈ１等が内側へ向かう方向Ｄ２（図２及び図６（ｅ）参照）へ移動して内目皿２０の方へ集まる。また、収容部３４に収容された内目皿２０の上面の外縁（毛髪引掛部２８）が外側排水通過部上面３６ａよりも低いので、内目皿２０の方へ集まった毛髪Ｈ１等が外側排水通過部上面３６ａにとどまらずに内目皿２０上へ落下し、収容部３４内で捕集物が内目皿２０上に堆積する。従って、外側排水通過部３６が捕集物で閉塞され難くなり、内目皿２０に捕集物が堆積しても、しばらくは外側領域Ｒ１が通水可能であり、且つ、通水可能な領域の面積が図６（ｅ）に示す外側領域Ｒ１の面積から小さくなり難い。なお、通水可能な領域は、軸１２に直交する水平断面を見たときの領域であるものとする。
以上より、本ヘアキャッチャー１０は、良好な排水能力が維持される時間が長く、従来よりも目詰まりし難くすることが可能となり、清掃する頻度を少なくすることができる。
【００４３】
一方、内側排水通過部上面２６ａが軸１２側から外側に向けて下がっているので、内側排水通過部２６を通過する排水Ｗ１に含まれる毛髪Ｈ１等が外側へ向かう方向Ｄ３へ移動して内目皿２０の外縁２０ａ側に集まる。また、図６（ｄ）に示すように、内側排水通過部２６と外目皿３０の底部（外目皿軸挿通部３２及び支持部３５）との間に空間ＳＰ１が形成され、内側排水通過部上面２６ａと外目皿３０の底部（３２，３５）との距離が長いので、内側排水通過部２６から垂れた毛髪が外目皿軸挿通部３２や支持部３５に絡まり難い。
【００４４】
毛髪Ｈ１等を捕集した排水栓ユニット２を使用者が排水路７０から取り出すと、図７（ａ）に示すように、外目皿軸挿通部３２が外目皿ストッパー上端１６ａに接触するまで外目皿３０が下降し、内目皿軸挿通部２２がＯリング１５に接触するまで内目皿２０が下降する。この状態で軸１２から排水栓４を外し、図７（ｂ）に示すようにヘアキャッチャー１０を逆さまにすると、外目皿軸挿通部３２がＯリング１５に接触するまで外目皿３０が軸の上端１２ａ側へ摺動し、内目皿軸挿通部２２がＯリング１４に接触するまで内目皿２０が軸の上端１２ａ側へ摺動する。内側排水通過部２６から垂れた毛髪が外目皿３０の底部に絡まり難いので、内目皿２０が容易に摺動する。
【００４５】
このとき、内目皿２０が収容部３４から出て外目皿３０よりも低い軸の上端１２ａ側で止まるので、捕集物を除去し易い。また、内目皿外縁２０ａの毛髪引掛部２８が収容部３４の側面部３４ｃに付着した捕集物を引っ掛けて内目皿２０が摺動するので、外目皿３０に捕集物が残り難い。さらに、内目皿２０が傘状に形成されているので、毛髪引掛部２８側に毛髪を集めることができるため、ヘアキャッチャー１０を逆さまにしたときに内目皿２０から捕集物が落下し易い。従って、ヘアキャッチャー１０から捕集物を捨て易く、あまり手を汚さずに捕集物を除去することができる。
また、外側排水通過部３６に捕集物が堆積し難いので、本ヘアキャッチャー１０は、清掃頻度を少なくさせることと、ヘアキャッチャーを逆さまに向けて清掃する際の清掃性を向上させることとを両立させている。
【００４６】
なお、内目皿２０を軸の上端１２ａ方向へ引っ張ると、軸１２から内目皿２０が外れる。また、外目皿３０を軸の上端１２ａ方向へ引っ張ると、軸１２から外目皿３０が外れる。従って、内目皿２０及び外目皿３０を軸１２から取り外して清掃することができ、ヘアキャッチャーの清掃性が良好である。
【００４７】
（４）変形例：
本発明のヘアキャッチャーは、種々の変形例が考えられる。
例えば、排水口にゴム栓が装着される排水路にヘアキャッチャーを設ける場合、上述した排水栓４は不要であり、排水栓を取り付けるために使用されるＯリング１３等を設けていないヘアキャッチャーを使用することができる。
軸の溝１２ｃ〜１２ｅに設ける部材には、上述したＯリング以外にも、角リングといった成形パッキン等を使用することができる。
内目皿軸挿通部及び外目皿軸挿通部は、軸に対して回転不能に取り付けられても良い。例えば、内目皿及び外目皿の軸挿通穴並びに軸を断面多角形など断面非円形に形成しても、内目皿軸挿通部及び外目皿軸挿通部を軸に対して摺動自在に取り付けることができる。
内側排水通過部及び外側排水通過部は、上述した複数の孔以外にも、網目やスリット等で形成することができる。
【００４８】
内目皿は、外目皿の収容部に対して回転不能に収容されても良い。例えば、内目皿を平面視で多角形など非円形に形成し、収容部も平面視で多角形など非円形の筒状に形成しても、内目皿が軸に対して摺動可能に収容部に収容されるようにすることができる。
内目皿の外縁は、毛髪引掛部があると捕集物を捨てるときに収容部の側面部に付着した捕集物が引っ掛かって収容部外に出るので好ましいものの、毛髪引掛部が無くても清掃頻度を少なくさせ清掃性を向上させる効果が得られる。従って、例えば、内目皿全体の上面を軸側から外側に向けて下げることができる。
内側排水通過部と外目皿の底部との間に空間が形成されず、内側排水通過部の孔を除いて内目皿が中実に形成されても、内側排水通過部上面が軸側から外側に向けて下がっていると、内側排水通過部上面と外目皿の底部との距離が長い。従って、内側排水通過部から垂れた毛髪が外目皿の底部に絡まり難く、ヘアキャッチャーを逆さまにしたときに捕集物とともに内目皿が容易に摺動し、捕集物を捨て易い。
収容部の側面部は、毛髪の引っ掛かりによる内目皿の摺動不良を抑制する観点から孔を形成しないことが好ましいものの、排水能力を高めるために排水中の毛髪の通過を抑止しながら排水を通過させる孔を形成しても良い。
【００４９】
図８（ａ）に垂直断面図を示すヘアキャッチャー１０のように、外目皿３０と外目皿ストッパー１６とが一体化されてもよい。この場合、外目皿３０は、排水栓ユニット２が閉栓位置にあるときに引掛部３８が目皿掛止部６４に引っ掛かる位置にすればよい。また、外目皿を止めるためのＯリングは、不要である。
排水栓ユニット２を排水路７０から取り出し、軸１２から排水栓４を外し、図８（ｂ）に示す垂直断面図のようにヘアキャッチャー１０を逆さまにすると、内目皿軸挿通部２２がＯリング１４に接触するまで内目皿２０が軸の上端１２ａ側へ摺動する。従って、本ヘアキャッチャー１０も、清掃頻度を少なくさせ逆さまに向けて清掃する際の清掃性を向上させることができる。
【００５０】
上面が軸側から外側に向けて下がった内側排水通過部の形状は、軸の中心線を含む鉛直面で切断した断面が曲線的に下がった形状でもよい。このような形状の内目皿も、傘状の内目皿に含まれる。なお、断面曲線状の内側排水通過部上面の傾斜角θ１は、軸の中心線を含む鉛直面で切断した断面において最も低い外縁と最も高い内側縁部とを結ぶ直線の水平面からの傾きの角度で表すことにする。
また、上面が収容部の上部から外側に向かって上がった外側排水通過部の形状は、軸の中心線を含む鉛直面で切断した断面が曲線的に上がった形状でもよい。このような形状の外側排水通過部は、外形が下に凸の略円錐台形状に含まれる。なお、断面曲線状の外側排水通過部上面の傾斜角θ２は、軸の中心線を含む鉛直面で切断した断面において最も低い内側縁部（収容部の上部）と最も高い外縁とを結ぶ直線の水平面からの傾きの角度で表すことにする。
【００５１】
図９（ａ）〜（ｄ）は、変形例に係る内目皿２０及び外目皿３０の軸の中心線を含む鉛直面で切断した断面を示している。なお、分かり易く示すため、断面の背後に存在する孔２７，３７の図示を省略している。
図９（ａ）の垂直断面図は、内側排水通過部上面２６ａの断面形状を下に凸の曲線形状とした傘状の内目皿２０と、外側排水通過部上面３６ａの断面形状を下に凸の曲線形状とした外形略円錐台形状の外目皿３０とから構成される変形例の組合せを示している。図９（ｂ）の垂直断面図は、内側排水通過部上面２６ａの断面形状を上に凸の曲線形状とした傘状の内目皿２０と、外側排水通過部３６の断面形状を上に凸の曲線形状とした外形略円錐台形状の外目皿３０とから構成される変形例の組合せを示している。図９（ｃ）の垂直断面図は、内側排水通過部上面２６ａの傾斜角θ１を小さくした内目皿２０と、外側排水通過部３６の傾斜角θ２を小さくした外目皿３０とから構成される変形例の組合せを示している。図９（ｄ）の垂直断面図は、内側排水通過部上面２６ａの傾斜角θ１を大きくした内目皿２０と、外側排水通過部３６の傾斜角θ２を大きくした外目皿３０とから構成される変形例の組合せを示している。
【００５２】
いずれの例も、外側排水通過部上面３６ａが収容部の上縁部３４ａ外側に向かって上がり、収容部３４に収容された内目皿２０の上面の外縁（毛髪引掛部２８）が外側排水通過部上面３６ａよりも低いので、外側排水通過部３６で捕集された毛髪等が内目皿２０の方へ集まり、捕集物が内目皿２０上に堆積する。また、内側排水通過部上面２６ａが軸１２側から外側に向けて下がっているので、内側排水通過部上面２６ａと外目皿３０の底部との距離が長く、内側排水通過部２６から垂れた毛髪が外目皿３０の底部に絡まり難い。さらに、内目皿２０上に捕集物が堆積するので、外側排水通過部３６が捕集物で閉塞され難くなり、良好な排水能力が維持される時間が長くなる。従って、ヘアキャッチャーの清掃頻度を少なくすることができるとともに、ヘアキャッチャーを逆さまに向けて清掃する際の清掃性が向上する。
また、図９（ａ）〜（ｄ）、図３及び図８（ａ）に示した内目皿２０及び外目皿３０を相互に置換してヘアキャッチャーを構成しても良い。
【００５３】
なお、軸１２から外目皿３０や内目皿２０を取り外すことができないヘアキャッチャーや、軸１２に外目皿ストッパーが設けられていないヘアキャッチャーでも、内側排水通過部から垂れた毛髪が外目皿の底部に絡まり難い。従って、ヘアキャッチャーを逆さまに向けて清掃する際の清掃性を向上させる効果が得られる。
また、収容部３４に収容された内目皿２０の上面の外縁が外側排水通過部上面３６ａよりも低いと内目皿２０上に捕集物を溜めることができるので好ましいものの、収容部３４に収容された内目皿２０の上面の外縁は外側排水通過部上面３６ａよりも低くなくても上述した基本的な効果が得られる。さらに、外側排水通過部上面３６ａが内側から外側に向かって上がっていると捕集物を内目皿２０の方へ集めることができるので好ましいものの、外側排水通過部上面３６ａは水平など内側から外側に向かって上がっていなくても上述した基本的な効果が得られる。
【００５４】
むろん、従属請求項に係る構成要件を有しておらず独立請求項に係る構成要件のみからなるヘアキャッチャー等でも、上述した基本的な作用、効果が得られる。
【００５５】
以上説明したように、本発明によると、種々の態様により、有用なヘアキャッチャー、排水栓ユニット及びヘアキャッチャー付き洗面ボウル、ヘアキャッチャー付き浴槽、ヘアキャッチャー付きシンク、等の技術を提供することができる。
また、上述した実施形態及び変形例の中で開示した各構成を相互に置換したり組み合わせを変更したりして本発明を実施することも可能であり、公知技術並びに上述した実施形態及び変形例の中で開示した各構成を相互に置換したり組み合わせを変更したりして本発明を実施することも可能である。従って、本発明は、上述した実施形態や変形例に限られず、公知技術並びに上述した実施形態及び変形例の中で開示した各構成を相互に置換したり組み合わせを変更したりした構成等も含まれる。
【符号の説明】
【００５６】
１…洗面化粧台、２…排水栓ユニット、４…排水栓、
１０…ヘアキャッチャー、
１２…軸、１２ａ…上端、１２ｂ…下端、１２ｃ，１２ｄ，１２ｅ…溝、
１３…Ｏリング、１４…Ｏリング（ストッパー部）、１５…Ｏリング、
１６…外目皿ストッパー、１６ａ…上端、１６ｂ…軸挿入穴、
１７…下目皿、１７ａ…環状部、１７ｂ…支持部、１７ｃ…孔、１７ｄ…凸部、
２０…内目皿、２０ａ…外縁、２２…内目皿軸挿通部、２２ａ…軸挿通穴、
２６…内側排水通過部、２６ａ…上面、２７…孔、２８…毛髪引掛部、
３０…外目皿、３２…外目皿軸挿通部、３２ａ…軸挿通穴、
３４…収容部、３４ａ…上縁部、３４ｂ…下縁部、３４ｃ…側面部、３５…支持部、
３６…外側排水通過部、３６ａ…上面、３７…孔、３８…引掛部、
６０…排水管ユニット、
６２…排水管、６４…目皿掛止部、
６６…昇降機構、６７…持ち上げ部材、
７０…排水路、
８０…洗面ボウル、
Ｄ１…長手方向、Ｄ２…内側へ向かう方向、Ｄ３…外側へ向かう方向、
Ｈ１…毛髪、Ｌ１…閉栓位置、Ｌ２…開栓位置、
Ｒ１…外側領域、Ｒ２…内側領域、ＳＰ１…空間、Ｗ１…排水。
【図１】
2012255287.tif 000003
【図２】
2012255287.tif 000004
【図３】
2012255287.tif 000005
【図４】
2012255287.tif 000006
【図５】
2012255287.tif 000007
【図６】
2012255287.tif 000008
【図７】
2012255287.tif 000009
【図８】
2012255287.tif 000010
【図９】
2012255287.tif 000011
【図１０】
2012255287.tif 000012